(57)【要約】ユーザからの手書きシンボルが検知され、所定の既知シンボル群と比較される。検知された手書きシンボルに対応する第１の既知シンボルが、ユーザに対して表示される。表示された第１の既知シンボルが手書きシンボルと対応しないことを示すユーザの受信を受けて、検知された手書きシンボルに対応する第２の既知シンボルが選択され、ユーザに対して表示される。
2005528705.tif 000002
【特許請求の範囲】
【請求項１】
既知シンボル群に対するシンボル認識システムを制御する方法であって、
所望のシンボルの指示を検知し、
前記所望のシンボルに対応する可能性のある第１の既知シンボルを前記既知シンボル群から選択し、
前記第１の既知シンボルを表示し、
前記表示された第１の既知シンボルが前記所望のシンボルに対応しないことを示す指示を受信し、
前記所望のシンボルに対応する可能性のある第２の既知シンボルを前記既知シンボル群から選択し、
前記第２の既知シンボルを表示する
ことを特徴とする方法。
【請求項２】
入力済アルファベットの少なくとも一部を表現する所定の文字群を、前記既知シンボル群として提供する
ことを特徴とする請求項１に記載の方法。
【請求項３】
前記第１の既知シンボルを前記既知シンボル群から選択することは、
前記所望のシンボルに最も近い第１の既知シンボルを前記既知シンボル群から選択する
ことを特徴とする請求項１に記載の方法。
【請求項４】
前記第２の既知シンボルを前記既知シンボル群から選択することは、
前記所望のシンボルに次に近い第２の既知シンボルを前記既知シンボル群から選択する
ことを特徴とする請求項３に記載の方法。
【請求項５】
前記第１の既知シンボルを前記既知シンボル群から選択することは、
前記所望のシンボルと前記既知シンボル群のそれぞれの既知シンボルとの比較による近さを示すスコアを生成する
ことを特徴とする請求項１に記載の方法。
【請求項６】
更に、前記所望のシンボルと前記既知シンボル群のそれぞれの既知シンボルとの比較による複数のスコアを記憶する
ことを特徴とする請求項５に記載の方法。
【請求項７】
前記第２の既知シンボルを前記既知シンボル群から選択することは、
前記比較による前記記憶されたスコアに基づいて、第２の既知シンボルを前記既知シンボル群から選択する
ことを特徴とする請求項６に記載の方法。
【請求項８】
更に、前記所望のシンボルと前記既知シンボル群のそれぞれの既知シンボルとの比較によるスコアの内、所定閾値を越えるスコアを記憶する
ことを特徴とする請求項５に記載の方法。
【請求項９】
前記第２の既知シンボルを前記既知シンボル群から選択することは、
前記比較による前記記憶されたスコアに基づいて、第２の既知シンボルを前記既知シンボル群から選択する
ことを特徴とする請求項８に記載の方法。
【請求項１０】
前記第２の既知シンボルを前記既知シンボル群から選択することは、
前記所望のシンボルと前記既知シンボル群のそれぞれの既知シンボルとの比較による近さを示すスコアを生成する
ことを特徴とする請求項１に記載の方法。
【請求項１１】
前記第２の既知シンボルの表示は、前記表示された第２の既知シンボルが前記所望のシンボルに対応しないことを示すユーザからの指示を受信することによって発生する
ことを特徴とする請求項１に記載の方法。
【請求項１２】
更に、
前記所望のシンボルに対応する第３の既知シンボルを前記既知シンボル群から選択し、
前記第３の既知シンボルを前記ユーザに対して表示する
ことを特徴とする請求項１１に記載の方法。
【請求項１３】
更に、
前記表示された第２の既知シンボルが前記所望のシンボルに対応することを示すユーザからの指示を受信し、
前記表示された第１の既知シンボルを前記第２の既知シンボルに置換する
ことを特徴とする請求項１に記載の方法。
【請求項１４】
前記第２の既知シンボルの選択は、更に、前記所望のシンボルに対応する複数の既知シンボルを選択し、
前記第２の既知シンボルの表示は、更に、前記選択された複数の既知シンボルを前記ユーザに対して表示する
ことを特徴とする請求項１に記載の方法。
【請求項１５】
更に、
前記表示された複数の既知シンボルの１つのユーザによる選択指示を受信し、
前記複数の既知シンボルの選択がされていないもの以外の前記表示された複数の既知シンボルから選択された既知シンボルを表示する
ことを特徴とする請求項１４に記載の方法。
【請求項１６】
更に、
前記表示された第１の既知シンボルが前記所望のシンボルに対応しないことを示すユーザからの指示の受信を受けて、該表示された第１の既知シンボルを変更する
ことを特徴とする請求項１に記載の方法。
【請求項１７】
シンボル認識装置であって、
所定の既知シンボル群を記憶するように構成されているメモリと、
所望のシンボルの指示を検知するシンボル検知回路と、
前記所望のシンボルと前記既知シンボルとを比較し、前記所望のシンボルに対応する第１の既知シンボルを前記既知シンボル群から出力し、コマンドの受信を受けて、前記所望のシンボルに対応する第２の既知シンボルを前記既知シンボル群から出力するように動作するシンボル選択回路と、
前記シンボル選択回路によって出力される前記既知シンボルを表示する表示回路と
を備えることを特徴とするシンボル認識装置。
【請求項１８】
前記シンボル選択回路は、前記所望のシンボルに最も近い第１の既知シンボルを前記既知シンボル群から選択するように動作する
ことを特徴とする請求項１７に記載のシンボル認識装置。
【請求項１９】
前記シンボル選択回路は、前記所望のシンボルに次に最も近い第２の既知シンボルを前記既知シンボル群から選択するように動作する
ことを特徴とする請求項１８に記載のシンボル認識装置。
【請求項２０】
前記シンボル選択回路は、前記所望のシンボルと前記既知シンボル群との比較による近さを示すスコアをとるように動作する
ことを特徴とする請求項１７に記載のシンボル認識装置。
【請求項２１】
前記シンボル選択回路は、前記所望のシンボルと前記既知シンボル群との比較から、少なくとも複数のスコアを前記メモリに記憶するように動作する
ことを特徴とする請求項２０に記載のシンボル認識装置。
【請求項２２】
前記シンボル選択回路は、ユーザからの編集コマンドの受信を受けて、前記メモリに記憶されているスコアに基づいて前記第２の既知シンボルを選択して出力するように動作する
ことを特徴とする請求項２１に記載のシンボル認識装置。
【請求項２３】
前記シンボル選択回路は、ユーザからの編集コマンドの受信を受けて、前記所望のシンボルと前記既知シンボルを比較して、前記第２の既知シンボルを出力するように動作する
ことを特徴とする請求項１７に記載のシンボル認識装置。
【請求項２４】
前記シンボル選択回路は、前記表示回路が前記第２の既知シンボルを表示している間に、ユーザからの編集コマンドの受信を受けて、前記所望のシンボルに対応する第３の既知シンボルを前記既知シンボル群から出力するように動作する
ことを特徴とする請求項１７に記載のシンボル認識装置。
【請求項２５】
前記シンボル選択回路は、ユーザからの編集コマンドの受信を受けて、前記所望のシンボルに対応する複数の既知シンボルを前記既知シンボル群から選択して出力するように動作し、
前記表示回路は、前記シンボル選択回路によって出力される前記複数の既知シンボルを表示するように動作する
ことを特徴とする請求項１７に記載のシンボル認識装置。
【請求項２６】
前記シンボル選択回路は、前記表示された複数の既知シンボルの１つを選択するユーザからのコマンドの受信を受けて、該表示された複数の既知シンボルの内、選択された１つの既知シンボルだけを表示するように動作する
ことを特徴とする請求項２５に記載のシンボル認識装置。
【請求項２７】
前記シンボル選択回路は、ユーザからの編集コマンドの受信を受けて、前記表示された第１の既知シンボルを変更するように動作する
ことを特徴とする請求項１７に記載のシンボル認識装置。
【請求項２８】
既知シンボル群に対するシンボル認識装置を制御するコンピュータプログラム製品であって、該コンピュータプログラム製品は、コンピュータ可読媒体で実行されるプログラムコードを有し、該コンピュータプログラムコードは、
所望のシンボルの指示を検知するためのプログラムコードと、
前記所望のシンボルに対応する可能性のある第１の既知シンボルを前記既知シンボル群から選択するためのプログラムコードと、
前記第１の既知シンボルを表示するためのプログラムコードと、
前記表示された第１の既知シンボルが前記所望のシンボルに対応しないことを示す指示を受信するためのプログラムコードと、
前記所望のシンボルに対応する可能性のある第２の既知シンボルを前記既知シンボル群から選択するためのプログラムコードと、
前記第２の既知シンボルを表示するためのプログラムコードと
を備えることを特徴とするコンピュータプログラム製品。
【請求項２９】
前記第１の既知シンボルを選択するためのプログラムコードは、
前記所望のシンボルに最も近い第１の既知シンボルを前記既知シンボル群から選択するためのプログラムコードを備える
ことを特徴とする請求項２８に記載のコンピュータプログラム製品。
【請求項３０】
前記第２の既知シンボルを選択するためのプログラムコードは、
前記所望のシンボルに最も近い第２の既知シンボルを前記既知シンボル群から選択するためのプログラムコードを備える
ことを特徴とする請求項２９に記載のコンピュータプログラム製品。
【請求項３１】
前記表示された第２の既知シンボルが前記所望のシンボルに対応しないことを示すユーザからの指示を受信するためのプログラムコードを更に備える
ことを特徴とする請求項２８に記載のコンピュータプログラム製品。
【請求項３２】
更に、
前記所望のシンボルに対応する第３の既知シンボルを前記既知シンボル群から選択するプログラムコードと、
前記ユーザに対し、前記第３の既知シンボルを表示するためのプログラムコードと
を備えることを特徴とする請求項３１に記載のコンピュータプログラム製品。
【請求項３３】
更に、
前記表示された第２の既知シンボルが前記所望のシンボルに対応することを示すユーザからの指示を受信するためのプログラムコードと、
前記表示された第１の既知シンボルを前記第２の既知シンボルに置換するためのプログラムコードと
を備えることを特徴とする請求項２８に記載のコンピュータプログラム製品。
【請求項３４】
更に、
前記所望のシンボルに対応する複数の既知シンボルを前記既知シンボル群から選択するためのプログラムコードと、
前記ユーザに対し、前記選択された複数の既知シンボルを表示するためのプログラムコードと
を備えることを特徴とする請求項２８に記載のコンピュータプログラム製品。
【請求項３５】
更に、
前記表示された複数の既知シンボルの１つの前記ユーザからの選択指示を受信するためのプログラムコードと、
前記複数の既知シンボルの選択がされていないもの以外の前記表示された複数の既知シンボルから選択された既知シンボルを表示するためのプログラムコードと
を備えることを特徴とする請求項２４に記載のコンピュータプログラム製品。
【発明の詳細な説明】
【技術分野】
【０００１】
１．技術分野
本発明は、手書き情報認識装置及び方法に関するものであり、より詳しくは、手書きシンボルを編集する装置及び方法に関するものである。
【０００２】
２．関連技術の説明
多くのコンピュータシステムには、コンピュータシステムとの対話のために、キーボードの代りにあるいはキーボードに加えて、ペン及びデジタイザパッドが導入されている。ペン及びデジタイザパッドの組み合わせは、特に、パームトップコンピュータあるいはパーソナルデジタルアシスタント（ＰＤＡ）機能が搭載されているセルラー電話のような、ポータブルコンピュータシステムに対して好適に動作することができ、これは、この構成が、ユーザに、片手でデジタイザパッドに手書き入力しながら、もう一方の手でポータブルコンピュータシステムを保持させることができるからである。通常、これらのペンによるコンピュータシステムは手書き情報認識を提供し、これによって、ユーザは、デジタイザパッドに手書き入力することができ、装置は、ユーザの手書き情報を装置可読フォーマットに変換する。
【０００３】
残念なことに、手書き文字を正確に認識することは難しいものである、これは、ユーザの手書きの方法がかなり変化し得り、かつデジタイザパッドの精度は、低コスト化を図るための要求（pressure）とのバランスを取られるからである。この問題は、日本語及び中国語で記載される言語に対して使用されるものような複雑な文字構成に対して特に顕著となる。
【０００４】
本発明の要約
本発明の実施形態に従えば、ユーザによって提供されるシンボルが検知され、かつそのシンボルは既知シンボル群（a set of known symbol）と比較される。検知されたシンボルに対応する可能性のある第１の既知シンボルが前記既知シンボル群から選択され、かつユーザに対して表示される。表示された第１の既知シンボルが提供されたシンボルに対応しないことを示すユーザからの指示の受信を受けて、検知されたシンボルに対応する可能性のある第２の既知シンボルが既知シンボル群から選択され、かつユーザに対して、表示される。この方法では、表示されたシンボルが所望のシンボルに対応しない場合、別の候補シンボルがユーザに提供される。
【０００５】
別の実施形態では、ユーザに、複数の候補からなる既知シンボルが同時に提供され、これらから、ユーザは、既知シンボルを選択し、それを第１の既知シンボルに置換することができる。第１の既知シンボルは、検知されたシンボルに最も近いものに対応するものとして選択され、第２の既知シンボルは、検知されたシンボルに次に最も近いものに対応するものとして選択されても良い。第１の既知シンボルは、検知されたシンボルと既知シンボル群との相対的な近さのスコアを取ることによって選択されても良い。このスコアは、第２の既知シンボルを選択するために記憶され、再使用されても良い。
【０００６】
この方法では、装置、方法及びコンピュータプログラム製品が、ユーザによって提供されるシンボル、例えば、ユーザによる手書きのシンボルの編集を容易にするように提供される。
【０００７】
詳細説明
本発明は、図面を参照してより完全に説明され、ここでは、本発明の実施形態が説明される。しかしながら、本発明は、様々な異なる形態で実施することができ、本明細書で説明される実施形態に限定されるように解釈されるべきでなく、むしろ、これらの実施形態が提供されることで、その開示が完全かつ完璧となり、本発明の範囲が当業者に完全に伝わるものである。全体を通して、同様の番号は、同様の要素を参照するものである。
【０００８】
本発明のいくつかの実施形態に従えば、シンボル認識装置及び方法が提供される。図１−５は、本発明の実施形態に従う装置及び動作の例を示す図である。この図で説明される動作及びその組み合わせは、１つ以上の電子回路を使用して実現することができることが理解されるであろう、この電子回路には、手書きあるいは他のシンボル認識を使用するコンピュータインタフェースのコンポーネントに含まれる回路がある。一般的に、図示される動作及びその組み合わせは１つ以上の電子回路で実現されることが認識され、これには、１つ以上の電子コンポーネント、１つ以上の集積回路（ＩＣ）、１つ以上の特定用途向け集積回路（ＡＳＩＣ）、特定用途向け回路モジュールの少なくとも１つに加えて、例えば、マイクロプロセッサあるいはデジタル信号プロセッサがあり、これに加えて、図示される動作及びその組み合わせは、コンピュータあるいは他のデータ処理装置によって実行可能なコンピュータプログラム命令で実現することができることが認識されるであろう。
【０００９】
コンピュータプログラム命令は、コンピュータ可読記憶媒体内のコンピュータプログラム製品の形態で実現することもできる、即ち、命令実行システムによって使用されるあるいは命令実行システム内の記憶媒体で実行されるコンピュータ可読プログラムで実現することができる。コンピュータ可読記憶媒体には、磁気あるいは光ディスクあるいは集積回路メモリ装置のような、電子、磁気、光あるいは他の記憶媒体が含まれる、これらは、これに限定されるものではない。従って、図１−５は、特定の動作を実行し、特定の動作を実行するための動作を実行する電子回路及び他の装置をサポートし、かつ特定の動作を実行するように構成されるコンピュータプログラム製品をサポートする。
【００１０】
図１を参照すると、本発明のいくつかの実施形態に従う無線移動端末１０は、ペン２０、タッチセンシティブディスプレイ３０、ポインタスティック４０及びスイッチ５０を含んでいる。ユーザは、ペン２０を用いて、タッチセンシティブディスプレイ３０上にシンボルを描くことができる。描画されるシンボルはデジタル化され、かつ各デジタル化シンボルに対してシンボル認識が実行されて既知シンボルを選択し、これは、ディスプレイ３０上でユーザに対して表示される。タッチセンシティブディスプレイ３０は、シンボル入力領域とシンボル表示領域に分けることができ、あるいは入力及び表示の領域が合成されて提供されても良い。シンボル入力領域は、シンボルが個別に入力される領域に分けることができる、あるいはシンボル列を入力できる連続シンボル領域を持たせることができる。シンボル列は、端末１０によって認識される、あるいはまず別々のシンボルに分解され、次にそれぞれが認識される。この段落で説明される無線移動端末の構成及び動作は、当業者によく知られており、本明細書では、これ以上は説明しない。
【００１１】
図２は本発明のいくつかの実施形態に従うシンボル認識及び表示回路を示している。図３は、例えば、本発明のいくつかの実施形態あるいは他のコンピュータインタフェースに従うタッチセンシティブディスプレイ３０上で、手書きシンボルを受信し、認識し、表示する動作のフローチャートを示している。
【００１２】
ブロック３００でのシンボル認識回路の起動あるいは開始において、シンボル認識回路は、図１のタッチセンシティブディスプレイ３０のようなタッチセンシティブディスプレイのシンボル入力領域上に入力されるシンボルを待機する。入力シンボルは、アナログデジタルコンバータ（ＡＤＣ）２００でデジタル化され、タッチプロセッサ２１０へ送信される。ブロック３２０のタで、チプロセッサ２１０は、デジタル化入力シンボル（a dizitized written symbol）と、シンボルメモリ２２０内の所定の既知シンボルリストと比較し、デジタル化入力シンボルに対応する可能性がある既知シンボルを識別する。このようなシンボル認識は、周知の従来のシンボル認識アルゴリズムを使用して実行されても良い。いくつかの実施形態では、この比較は、デジタル化入力シンボルに最も近い既知シンボルを識別するために実行されても良い。所定の既知シンボルリストは、任意の所定シンボルで表現することができ、これには、アルファベット表記の一部あるいはすべて、オブジェクトの画像表現、あるいはユーザ定義シンボルを含んでいる。いくつかの実施形態では、照合度合を表現するスコアが、比較によって生成される。例えば、その既知シンボルリスト内の相対位置に基づいて、あるいは相対使用頻度に基づいて、対応するシンボルを選択することによって、統合（tied）スコアが決定されても良い。
【００１３】
ブロック３３０で、デジタル化入力シンボル及び既知シンボルとの比較によるスコアが記憶される。いくつかの実施形態では、これらは、タッチプロセッサ２１０によってメモリ２２０に記憶されても良い。ブロック３２０及び３３０での比較及び記憶が、ブロック３４０及び３５０のループを介して繰り返される、これは、デジタル化入力シンボルが、既知シンボルリストのすべてあるいは一部と連続して比較されるまでである。ブロック３３０での比較による各スコアを記憶する代りに、複数の最高スコアあるいは所定絶対閾値を越えるスコアを、記憶されたスコアとしても良い。比較及び記憶が完了すると、最高スコアは、既知シンボルの１つが、デジタル化入力シンボルと最も近く照合していることを示すことになる。
【００１４】
ブロック３６０で、最高スコアの既知シンボルが表示される。例えば、図２の実施形態では、既知シンボルがディスプレイプロセッサ２３０に送信され、ディスプレイメモリ２４０に記憶され、デジタルアナログコンバータ（ＤＡＣ）２５０によってアナログ信号に変換され、ユーザに対し、タッチセンシティブディスプレイ３０に表示される。また、既知シンボルは、後処理用に、図２に示されるホストコンピュータ２６０のようなホストコンピュータに送信することもできる。
【００１５】
表示シンボルあるいはシンボル列の確認後、ユーザは、１つ以上の表示されているシンボルが、期待する入力シンボルと正しく照合していないと判断する場合がある。本発明のいくつかの実施形態に従う表示シンボルの編集について、図４に示す。ユーザは、ペン２０を使用して、ディスプレイ３０のシンボルをタッチし、それを編集対象にすることができる。選択的には、ポインタスティック４０、スイッチ５０あるいはそれらの組み合わせを使用して、表示シンボル間を操作することによって（表示シンボルに対して縦あるいは横方向に押圧することによって、あるいは表示シンボルをスクロールする回転入力によって）、編集対象の表示シンボルを選択することができる。ユーザは、表示シンボルをカーソルあるいは他の指票で示し、その表示シンボル中の所望のものに少なくとも所定時間停滞することによって、表示シンボルを選択することもできる。いくつかの実施形態では、シンボルが編集用に選択される場合、ブロック４００及び４１０で示されるスタート−編集ループが発生し、ブロック４２０で、選択されたシンボルが視覚的に変更されて、シンボルが編集用に選択されていることをユーザに通知する。例えば、シンボルをハイライト表示にする、アンダースコアを表示する、シンボルとその背景の色を反転する、シンボルを点滅表示することによって、選択されたシンボルを視覚的に変更しても良い。
【００１６】
表示シンボルが編集用に選択された後、ユーザは、ペン２０、スティック４０及びスイッチ５０の少なくとも１つを用いて所定コマンドを与えることによって、あるいは所定タイムアウト期間に入力を与えないことによって、編集を取り消すことができ、この場合、制御は、ブロック４３０からブロック４００及び４１０の待機ループに戻る。編集が取り消される場合、あるいは終了される場合、ブロック４２０で行われたシンボルの視覚的変更は元に戻される。ブロック４４０で、ユーザが（ペン２０、スティック４０及びスイッチ５０の少なくとも１つによる）シンボル変更コマンド（a change symbol command）を与えると、ブロック４５０で、選択された表示シンボル（次の最高スコアシンボル）に次に最も近い既知シンボルをメモリから検索し、選択された表示シンボルに変えて、ディスプレイ３０のディスプレイプロセッサ２３０によって、表示する次に近い既知シンボルを、ブロック４６０で、送信する。
【００１７】
選択的には、次に近い既知シンボルは、選択された表示シンボルに対応するデジタル化入力シンボルと、メモリ２２０に記憶される各既知シンボルと比較することによって識別され、これは、次に近い既知シンボルを識別するためにメモリ２２０に記憶される。この方法では、図３のブロック３３０で示されるように、デジタル化入力シンボルと既知シンボルの各比較によって得られるスコアは、各表示シンボルに対して、メモリ２２０に保存され、かつ記憶される必要はない。
【００１８】
次に、制御ループは、ブロック４３０に戻り、ブロック４４０で、別のシンボル変更コマンドを待機する。表示シンボルがいまだなお正しくない場合、ユーザは、別のシンボル変更コマンドを与えると、ブロック４４０−４６０に示される動作が繰り返される。表示シンボルが正しい場合、あるいはユーザがシンボル編集モードを取り消したい場合、ユーザは、所定コマンドを与えることによってそのモードを取り消すか、あるいはブロック４３０で制御をタイムアウトさせることができる。この方法では、間違って表示されたシンボルを、ユーザが所望する入力シンボルに正しく対応する既知シンボルに効率的に置換することができる。
【００１９】
図５を参照すると、本発明の別の実施形態に従う表示シンボルの編集が示される。ユーザが編集用のシンボルを選択する場合、次に近い既知シンボルリストが表示され、ユーザはそのリストから選択することができる。制御は、ブロック５００及びブロック５１０での、選択対象の表示シンボルを待機することによって開始する。ユーザが表示シンボルを選択することによる制御は、図４のブロック４１０に対して説明したものを含めることができる。選択シンボルは、ブロック５２０で視覚的に変更されても良い。ユーザは、ブロック５３０で、編集を取り消すあるいはそれをタイムアウトさせることができ、あるいはブロック５４０で、シンボル変更コマンドを与えて、別の次に近いシンボルを参照して、所望のものを選択シンボルに指定することができる。シンボル変更コマンドに応じて、デジタル化入力シンボルに対する複数の次に近い既知シンボルが、ブロック５５０で検索され、ブロック５６０で表示される。ブロック５５０で、次に近いシンボルのリストの識別の制御は、図４のブロック４５０に対して説明したものと類似しており、１つの近い既知シンボルを選択する。ユーザは、ブロック５７０で、編集コマンドを取り消すあるいはタイムアウトさせて、選択された表示シンボルを未変更にすることができる、あるいは、ブロック５８０で、表示されている次に近い既知シンボルリストから１つ選択して、ブロック５９０で、編集用に選択されたシンボルに変えて、表示用に置換する、リストから選択された既知シンボルにすることができる。
【００２０】
シンボル認識回路及び制御は移動端末１０について説明しているが、これらは、コンピュータシステム、ポータブルコンピュータ及びパーソナルデジタルアシスタント（ＰＤＡ）用のユーザインタフェースで使用されるような任意の手書き認識装置で実施されても良いことは当業者には認識されるであろう。また、手書きインタフェースは、タッチセンシティブディスプレイのように、ディスプレイに統合されていても良く、あるいはペン移動をデジタル化する入力パッドのように、ディスプレイと分かれていても良い。
【００２１】
図面及び明細書では、本発明の典型的な実施形態で開示されていて、特定の用語が採用されているが、これらは概念的にかつ記述的観点のみで使用され、かつ制限することを目的とするものではなく、本発明の範囲は、請求項で説明される。
【図面の簡単な説明】
【００２２】
【図１】本発明のいくつかの実施形態に従うペン及びデジタイザパッドを含む無線移動端末を示す図である。
【図２】本発明のいくつかの実施形態に従う、図１の無線移動端末のシンボル認識及び表示回路のブロック図である。
【図３】本発明のいくつかの実施形態に従う、図２のシンボル認識及び表示回路の制御を示す図である。
【図４】本発明のいくつかの実施形態に従う、シンボル認識及び表示回路の編集制御を示す図である。
【図５】本発明の他の実施形態に従う、シンボル認識及び表示回路の編集制御を示す図である。
【図１】
2005528705.tif 000003
【図２】
2005528705.tif 000004
【図３】
2005528705.tif 000005
【図４】
2005528705.tif 000006
【図５】
2005528705.tif 000007
【国際調査報告】
2005528705.tif 000008
2005528705.tif 000009
2005528705.tif 000010